(57)【要約】【課題】自動販売機の断熱室としてなる商品収納室を左右複数の小室に断熱性仕切り板によって区画するものに関して、仕切り板と内扉の密閉構造を長期に気密の保たれるものにすることを図る。【解決手段】凸形をなして上下に走る突起部材Ａ１３を仕切り板５に締結されているパッキン１２に密接するようにして内扉３に設けることにより、商品収納室４内の隣接する小室は、冷却空気および加熱空気の交流が生じないようにいつまでも確実に遮断されることができる。【選択図】図１
2005202636.tif 000002
【特許請求の範囲】
【請求項１】
内扉と、商品収納室と、断熱性仕切り板と前記断熱仕切り板に締結されたパッキンとからなり、前記内扉に凸形をなし上下に走る壁を仕切り板側に形成し、前記仕切り板のパッキン部に密接することを特徴とした自動販売機の本体ケース。
【請求項２】
上下に走る壁の凸形断面の一部に傾斜をつけた形状し、前記パッキンが傾斜形状部分に当接する請求項１に記載の自動販売機の本体ケース。
【請求項３】
内扉と、商品収納室と、断熱性仕切り板と前記断熱仕切り板に締結されたパッキンとからなり、内扉に凸形をなし上下に走る壁を２列仕切り板側に形成し、前記仕切り板前部を挟み込み密接することを特徴とした自動販売機の本体ケース。
【請求項４】
内扉と、商品収納室と、断熱性仕切り板と前記断熱仕切り板に締結されたパッキンとからなり、内扉に凹形の溝を仕切り板側に形成し、前記仕切り板前部を挟み込み密接することを特徴とした自動販売機の本体ケース。
【発明の詳細な説明】
【技術分野】
【０００１】
本発明は缶入り飲料などの商品を販売する自動販売機に関するものである。
【背景技術】
【０００２】
従来の自動販売機は商品をホット飲料あるいはコールド飲料として併売できるように本体ケースが複数の部屋に分割されたものが一般的である。
【０００３】
図９は従来の自動販売機の斜視図である。図１０は各部屋の仕切板と断熱扉とのシール構造を示す断面図である。
【０００４】
同図において、本体ケース１は前面に外扉２を備え、又内部に断熱壁により大きな商品収納室４が区画形成される。この商品収納室４は前面を断熱性内扉３によって開閉され、又内部を着脱可能の断熱性仕切り板５によって左右に複数の小室この場合小室４Ａ，４Ｂ及び４Ｃに区画される。各小室には図示しない商品ラックが設置され又一つの小室には冷却器を他の小室には冷却器とヒータとをというように各小室に冷却器又はヒータあるいはその双方が配設される。
【０００５】
しかして自動販売機は各小室内の冷却器を運転しあるいはヒータに通電して各商品ラックに収容された商品をホット飲料及びコールド飲料として併売し、又特定の小室内に収容される商品を季節に応じホット飲料あるいはコールド飲料に切換え販売する。
【０００６】
前記断熱性の仕切り板５には前面側の上下方向にパッキン１２を設けてあり内扉３の商品収納室側面と密着されており、商品収納室に設けられている左右の小室を断熱的に区画する。
【０００７】
また、同様な断熱扉のシール構造については、パッキン形状を工夫したもの（例えば、特許文献１参照）がある。
【特許文献１】特開２００１−３４４６４５号公報
【発明の開示】
【発明が解決しようとする課題】
【０００８】
しかしながら、上記従来の構成は、前記パッキン１２が、時を経るとともに劣化して、仕切り板５と、内扉３との間に隙間を生じ例えば冷却商品収容の小室４Ａと加熱商品収容の小室４Ｂとの間で冷却空気及び加熱空気が交流し、商品の冷却及び加熱効率が低下するという欠点があった。
【０００９】
本発明は従来の課題を解決するもので、隣接する小室間を確実に遮断し、商品の冷却及び加熱効率を高水準に維持できる。自動販売機の本体ケースを提供することを目的とする。
【課題を解決するための手段】
【００１０】
上記課題を解決するため、本発明の自動販売機は、内扉と、商品収納用断熱室と、断熱性仕切り板とからなり、前記内扉に凸形をなし上下に走る壁を仕切り板側に形成し、前記仕切り板のパッキンに密接させたものであり、凸形の突起部に仕切り板のパッキンが沿うように形成されているのでパッキンが劣化変形しても内扉とパッキンとの隙は発生せず、隣接する小室は、冷却空気および加熱空気の交流が生じないようにいつまでも確実に遮断される。
【発明の効果】
【００１１】
本発明の自動販売機によれば、内扉と、商品収納用断熱室と、断熱性仕切り板とからなり、前記内扉に凸形をなし上下に走る壁を仕切り板側に形成し、前記仕切り板のパッキンに密接させたものであり、凸形の突起部に仕切り板のパッキンが沿うように形成し構成されるようにしたので、仕切り板よって区画された左右の小室は長期に亘って確実に通気が遮断される。従って左右の小室の間で冷却及び加熱空気の交流することが阻止され自動販売機の冷却及び加熱効率を高水準に維持することができる。
【発明を実施するための最良の形態】
【００１２】
請求項１に記載の自動販売機の発明は、内扉と、商品収納用断熱室と、断熱性仕切り板とからなり、前記内扉に凸形をなし上下に走る壁を仕切り板側に形成し、前記仕切り板のパッキンに密接させたものであり、凸形の突起部に仕切り板のパッキンが沿うように形成されているのでパッキンが劣化変形しても内扉とパッキンとの隙は発生せず、隣接する小室は、冷却空気および加熱空気の交流が生じないようにいつまでも確実に遮断される。
【００１３】
請求項２に記載の発明は、請求項１に記載の発明において、凸型の突起部断面に傾斜をつけたものであり、パッキンに対する圧縮抵抗を最小限に抑えることでパッキンの変形が低減され、内扉とパッキンとの隙は長期的に発生せず、隣接する小室は、冷却空気および加熱空気の交流が生じないようにいつまでも確実に遮断される。
【００１４】
請求項３に記載の発明は、請求項１に記載の発明において、凸形をなし上下に走る壁を２列、内扉の仕切り板側に形成し、前記仕切り板のパッキンを挟み込み密接させたものであり、凸形の突起部に仕切り板のパッキンが沿うように形成されているのでパッキンが劣化変形しても内扉とパッキンとの隙は発生せず、隣接する小室は、冷却空気および加熱空気の交流が生じないようにいつまでも確実に遮断される。
【００１５】
請求項４に記載の発明は、請求項１に記載の発明において、凹形の溝を内扉の仕切り板側に形成し、前記仕切り板のパッキン部を挟み込み密接させたものであり、凹形の嵌合部に仕切り板のパッキンが沿うように形成されているのでパッキンが劣化変形しても内扉とパッキンとの隙は発生せず、隣接する小室は、冷却空気および加熱空気の交流が生じないようにいつまでも確実に遮断される。
【００１６】
以下、本発明の実施の形態について、図面を参照しながら説明する。なお、従来と同一構成については、同一符号を付して詳細な説明を省略する。また、この実施の形態によってこの発明が限定されるものではない。
【００１７】
（実施の形態１）
図１は、本発明の実施の形態１による自動販売機の内扉と仕切り板との密着した状態を示す断面図である。図２は同実施の形態の自動販売機の内扉と仕切り板との密着前の状態を示す断面図である。
【００１８】
図１に示すように、パッキン１２は発泡体からなる断熱部材で形成されている仕切り板５に小ネジ１５で締結されている。パッキン１２は硬質部及び軟質部で形成されており、密着部となる軟質部は中空形状の追従性かつ復元性の良い材質である。内扉３は発泡体からなる断熱部材と防錆性の優れた板金の薄板からなる箱状の外板６とパネル状の内板７及び補強材８で形成されている。突起部材Ａ１３はコの字型の形状に締結する為のフランジを設けた部材である。突起部材Ａ１３は内扉３に小ネジ１５で締結されている。パッキン１２は仕切り板５に対し上下に又、突起部材Ａ１３は内扉３に対し上下に走っている。
【００１９】
前述の構成において、内扉３が密閉された時、突起部材Ａ１３は仕切り板５のパッキン１２に密接する位置に設けられている。図２に示すように、内扉３は矢印の方向に回転し、突起部材Ａ１３のＲ側とパッキン１２のＬ側が沿うように密着する。そうすることにより、突起部材Ａ１３とパッキン１２は互いに追従しあい、小室４Ａと４Ｂとを気密的に遮断することが出来る。パッキン１２と突起部材Ａ１３とによる密閉構造は仮に内扉３が前後に移動しても互いに密着し、小室４Ａと小室４Ｂとは互いの通気が確実に遮断される。
【００２０】
突起部材Ａ１３は復元性の良い発泡材を使用することも有効である。例えば、フォーム等である。
【００２１】
（実施の形態２）
図３は本発明の実施の形態２による自動販売機の内扉と仕切り板との密着した状態を示す断面図である。図４は同実施の形態の自動販売機の内扉と仕切り板との密着前の状態を示す断面図である。
【００２２】
図３に示すように、パッキン１２は発泡体からなる断熱部材で形成されている仕切り板５に小ネジ１５で締結されている。パッキン１２は硬質部及び軟質部で形成されており、密着部となる軟質部は中空形状の追従性かつ復元性の良い材質である。内扉３は発泡体からなる断熱部材と防錆性の優れた板金の薄板からなる箱状の外板６とパネル状の内板７及び補強材８で形成されている。突起部材Ｂ２１はコの字型の形状に締結する為のフランジを設けた部材でパッキン１２との密着部側に傾斜を設けたものである。突起部材Ｂ２１は内扉３に小ネジ１５で締結されている。パッキン１２は仕切り板５に対し上下に又、突起部材Ｂ２１は内扉３に対し上下に走っている。
【００２３】
前述の構成において、内扉３が密閉された時、突起部材Ｂ２１は仕切り板５のパッキン１２に密接する位置に設けられている。図４に示すように、内扉３は矢印の方向に回転し、突起部材Ｂ２１のＲ側とパッキン１２のＬ側が沿うように密着する。そうすることにより、突起部材Ｂ２１とパッキン１２は互いに追従しあい、小室４Ａと４Ｂとを気密的に遮断することが出来る。また、突起部材Ｂ２１には傾斜が設けられており、パッキン１２のＬ側との摩擦抵抗が緩和される。パッキン１２と突起部材Ｂ２１とによる密閉構造は長期的に部材の劣化が生じず、小室４Ａと小室４Ｂとは互いの通気が確実に遮断される。
【００２４】
（実施の形態３）
図５は本発明の実施の形態３による自動販売機の内扉と仕切り板との密着した状態を示す断面図である。図６は同実施の形態の自動販売機の内扉と仕切り板との密着前の状態を示す断面図である。
【００２５】
図５に示すように、パッキン１２は発泡体からなる断熱部材で形成されている仕切り板５に小ネジ１５で締結されている。パッキン１２は硬質部及び軟質部で形成されており、密着部となる軟質部は中空形状の追従性かつ復元性の良い材質である。内扉３は発泡体からなる断熱部材と防錆性の優れた板金の薄板からなる箱状の外板６とパネル状の内板７及び補強材８で形成されている。突起部材Ａ１３はコの字型の形状に締結する為のフランジを設けた部材である。突起部材Ａ１３は内扉３に小ネジ１５で締結されている。パッキン１２は仕切り板５に対し上下に又、突起部材Ａ１３は内扉３に対し上下に２列走っている。
【００２６】
前述の構成において、２列の突起部材Ａ１３は仕切り板５のパッキン１２を挟み込み、密接する位置に設けることにより、小室４Ａと４Ｂとを気密的に遮断する。図６に示すように、内扉３は矢印の方向に回転し、２列の突起部材Ａ１３にパッキン１２が挟み込まれる。突起部材Ａ１３のＲ側と突起部材Ａ１３のＬ側がパッキン１２の軟質部に沿うように密着する。パッキン１２と２列の突起部材Ａ１３とによる密閉構造は仮に内扉３が前後左右に移動しても互いに密着し、小室４Ａと小室４Ｂとは互いの通気が確実に遮断される。
【００２７】
突起部材Ａ１３は復元性の良い発砲材を使用することも有効である。例えば、フォーム等である。
【００２８】
（実施の形態４）
図７は本発明の実施の形態４による自動販売機の内扉と仕切り板との密着した状態を示す断面図である。図８は同実施の形態の自動販売機の内扉と仕切り板との密着前の状態を示す断面図である。
【００２９】
図７に示すように、パッキン１２は発泡体からなる断熱部材で形成されている仕切り板５に小ネジ１５で締結されている。パッキン１２は硬質部及び軟質部で形成されており、密着部となる軟質部は中空形状の追従性かつ復元性の良い材質である。内扉３は発泡体からなる断熱部材と防錆性の優れた板金の薄板からなる箱状の外板６とパネル状の内板７及び補強材８で形成されている。内板７には溝３４を設けてある。内板３１は小ネジ１５によりホルダー３３に締結されている。仕切り板５のパッキン１２および溝３４は共に上下に走っている。
【００３０】
前述の構成において、溝３４は仕切り板５のパッキン１２がはまり込む位置に設けることにより、小室４Ａと４Ｂとを気密的に遮断する。図８に示すように、内扉３は矢印の方向に回転し、溝３４にパッキン１２が挟み込まれる。溝３４のＲ側と溝３４のＬ側がパッキン１２の軟質部に沿うように密着する。パッキン１２と溝３４とによる密閉構造は仮に内扉３が前後左右に移動しても互いに密着し、小室４Ａと小室４Ｂとは互いの通気が確実に遮断される。
【産業上の利用可能性】
【００３１】
以上のように、本発明にかかる自動販売機は、冷却及び加熱空気の交流が阻止され自動販売機の冷却及び加熱効率を高めることができ、冷却，加熱区画を隣接して有する機器の熱リーク防止策として有効に適用できる。
【図面の簡単な説明】
【００３２】
【図１】本発明による自動販売機の実施の形態１の発明要部の断面図
【図２】同実施の形態の自動販売機の断面図
【図３】本発明による自動販売機の実施の形態２の発明要部の断面図
【図４】同実施の形態の自動販売機の断面図
【図５】本発明による自動販売機の実施の形態３の発明要部の断面図
【図６】同実施の形態の自動販売機の断面図
【図７】本発明による自動販売機の実施の形態４の発明要部の断面図
【図８】同実施の形態の自動販売機の断面図
【図９】従来の自動販売機の本体の斜視図
【図１０】従来の自動販売機の内扉シール部の断面図
【符号の説明】
【００３３】
１    本体ケース
３    内扉
４    商品収納室
５    仕切り板
３４    溝
【図１】
2005202636.tif 000003
【図２】
2005202636.tif 000004
【図３】
2005202636.tif 000005
【図４】
2005202636.tif 000006
【図５】
2005202636.tif 000007
【図６】
2005202636.tif 000008
【図７】
2005202636.tif 000009
【図８】
2005202636.tif 000010
【図９】
2005202636.tif 000011
【図１０】
2005202636.tif 000012